(57)【特許請求の範囲】
【請求項１】
映像を表示する表示パネルと、
前記表示パネルに光を提供する少なくとも１つの光源を含む光源部と、
光源同期信号に基づいて前記光源部を駆動する光源駆動信号を出力する光源駆動部と、
前記光源同期信号に基づいて前記表示パネルの表示領域を補償領域と一般領域とに区分する補償領域決定部と、
前記補償領域の水平ライン（画素行）に対応する入力データに対する補償係数を決定する補償係数決定部と、
前記光源駆動信号と前記表示パネルを駆動する駆動信号との干渉ノイズにより前記補償領域の画素に充電された画素電圧が減少又は増加することによる輝度差を補償するための前記入力データの階調値に対応したノイズ補正データが格納された補償ルックアップテーブルと、
前記補償係数及び前記ノイズ補正データを用いて前記補償領域の入力データに対応する補正データを算出する補正データ算出部と、を備え、
前記補償領域の水平ラインに対応する入力データに対する補償係数は、０．１から１までの範囲に決定されることを特徴とする表示装置。
【請求項２】
前記補償領域は、前記補償領域と前記一般領域との境界である境界領域、及び該境界領域を除外した残りの領域に区分され、
前記補償係数決定部は、前記境界領域の水平ラインに対応する入力データに対する補償係数を水平ライン単位で徐々に変わるように決定することを特徴とする請求項１に記載の表示装置。
【請求項３】
前記一般領域の水平ラインに対応する入力データを補償するための前記入力データの階調値に対応した一般補正データが格納された一般ルックアップテーブルをさらに含むことを特徴とする請求項１に記載の表示装置。
【請求項４】
前記補償ルックアップテーブルのノイズ補正データは、前記一般ルックアップテーブルの一般補正データよりも高階調であることを特徴とする請求項３に記載の表示装置。
【請求項５】
前記補償ルックアップテーブル及び前記一般ルックアップテーブルの各々は、レッドデータ、グリーンデータ、及びブルーデータのそれぞれに対応するレッド補正データ、グリーン補正データ、及びブルー補正データを含むことを特徴とする請求項３に記載の表示装置。
【請求項６】
前記補償領域決定部は、前記光源同期信号のハイレベル及びローレベルに基づいて前記補償領域と前記一般領域とを決定することを特徴とする請求項１に記載の表示装置。
【請求項７】
前記表示パネルを駆動するフレーム周波数と前記光源同期信号の光源駆動周波数とが同一の場合、前記補償領域及び前記一般領域はフレーム毎に同一に決定され、
前記フレーム周波数と前記光源駆動周波数とが異なる場合、前記補償領域及び前記一般領域は隣接するフレームに対して互いに異なるように決定されることを特徴とする請求項６に記載の表示装置。
【請求項８】
前記入力データの入力タイミングと前記補正データの出力タイミングとに基づいて、前記光源同期信号を遅延させて出力する遅延補償部をさらに含むことを特徴とする請求項１に記載の表示装置。
【請求項９】
前記光源駆動部は、前記遅延された光源同期信号に基づいて前記光源部を駆動する光源駆動信号を出力することを特徴とする請求項８に記載の表示装置。
【請求項１０】
前記光源駆動信号は、パルス幅変調信号であることを特徴とする請求項９に記載の表示装置。
【発明の詳細な説明】
【技術分野】
【０００１】
本発明は、表示装置に関し、より詳しくは、表示品質を改善するための表示装置に関する。
【背景技術】
【０００２】
一般に、液晶表示装置（ＬＣＤ）は薄型、軽量であり、電力消費が低いという長所があるので、モニタ、ノートブック、携帯電話などに主に使われる。このような液晶表示装置は、液晶の選択的に可変な光透過率特性を利用して映像を表示する液晶表示パネル、液晶表示パネルの下部に配置されて液晶表示パネルに光を提供するバックライトアセンブリ、及び液晶表示パネルを駆動する駆動回路を含む。
【０００３】
液晶表示パネルは、ゲートライン、データライン、薄膜トランジスタ、及び画素電極を有するアレイ基板と、アレイ基板に対向して共通電極を有する対向基板と、アレイ基板と対向基板との間に配された液晶層と、を含む。
【０００４】
バックライトアセンブリは、液晶表示パネルと隣接するように配置されて液晶表示パネルの背面または正面に光を提供する。バックライトアセンブリは複数の発光ダイオードを含む。バックライトアセンブリは光源駆動信号に基づいて複数の発光ダイオードをターンオンまたはターンオフする。
【０００５】
液晶表示パネルの駆動回路は、ゲートラインを駆動するゲート駆動部及びデータラインを駆動するデータ駆動部を含む。ゲート駆動部及びデータ駆動部は、液晶表示パネルをフレーム単位で駆動する。
【０００６】
液晶表示装置は、光源駆動信号の駆動周波数と液晶表示パネルを駆動する駆動信号のフレーム周波数との間の干渉によりノイズが発生する。この干渉ノイズは、ウォーターフォール現象（Ｗａｔｅｒｆａｌｌ  ｎｏｉｓｅ）のような表示不良を発生する。
【発明の概要】
【発明が解決しようとする課題】
【０００７】
本発明は、上記従来の問題点に鑑みてなされたものであって、本発明の目的は、表示品質を改善するための表示装置を提供することにある。
【課題を解決するための手段】
【０００８】
上記目的を達成するためになされた本発明の一態様による表示装置は、映像を表示する表示パネルと、前記表示パネルに光を提供する少なくとも１つの光源を含む光源部と、光源同期信号に基づいて前記光源部を駆動する光源駆動信号を出力する光源駆動部と、前記光源同期信号に基づいて前記表示パネルの表示領域を補償領域と一般領域とに区分する補償領域決定部と、前記補償領域の水平ライン（画素行）に対応する入力データに対する補償係数を決定する補償係数決定部と、前記光源駆動信号と前記表示パネルを駆動する駆動信号との干渉ノイズにより前記補償領域の画素に充電された画素電圧が減少又は増加することによる輝度差を補償するための前記入力データの階調値に対応したノイズ補正データが格納された補償ルックアップテーブルと、前記補償係数及び前記ノイズ補正データを用いて前記補償領域の入力データに対応する補正データを算出する補正データ算出部と、を備え、前記補償領域の水平ラインに対応する入力データに対する補償係数は、０．１から１までの範囲に決定されることを特徴とする。
【０００９】
前記補償領域は、前記補償領域と前記一般領域との境界である境界領域、及び該境界領域を除外した残りの領域に区分され、前記補償係数決定部は、前記境界領域の水平ラインに対応する入力データに対する補償係数を水平ライン単位で徐々に変わるように決定し得る。
【００１０】
前記表示装置は、前記一般領域の水平ラインに対応する入力データを補償するための前記入力データの階調値に対応した一般補正データが格納された一般ルックアップテーブルをさらに含み得る。
前記補償ルックアップテーブルのノイズ補正データは、前記一般ルックアップテーブルの一般補正データよりも高階調であり得る。
前記補償ルックアップテーブル及び前記一般ルックアップテーブルの各々は、レッドデータ、グリーンデータ、及びブルーデータのそれぞれに対応するレッド補正データ、グリーン補正データ、及びブルー補正データを含み得る。
前記補償領域決定部は、前記光源同期信号のハイレベル及びローレベルに基づいて前記補償領域と前記一般領域とを決定し得る。
前記表示パネルを駆動するフレーム周波数と前記光源同期信号の光源駆動周波数とが同一の場合、前記補償領域及び前記一般領域はフレーム毎に同一に決定され、前記フレーム周波数と前記光源駆動周波数とが異なる場合、前記補償領域及び前記一般領域は隣接するフレームに対して互いに異なるように決定し得る。
【００１１】
前記表示装置は、前記入力データの入力タイミングと前記補正データの出力タイミングとに基づいて、前記光源同期信号を遅延させて出力する遅延補償部をさらに含み得る。
【００１２】
前記光源駆動部は、前記遅延された光源同期信号に基づいて前記光源部を駆動する光源駆動信号を出力し得る。
前記光源は発光ダイオードであり、前記光源駆動信号はパルス幅変調信号であり得る。
【００１３】
一実施形態による表示装置の駆動方法は、光源同期信号に基づいて表示パネルの表示領域を補償領域と一般領域とに区分するステップ、前記補償領域の入力データに対応する補償係数を決定するステップ、及び前記補償領域の入力データに対応する補償係数と前記補償領域で前記光源同期信号に基づく光源駆動信号の干渉ノイズによる前記補償領域の輝度差を補償するノイズ補正データとを用いて前記補償領域の入力データに対応する補正データを算出するステップを含む。
【００１４】
前記補償領域は、前記補償領域と前記一般領域との境界である境界領域、及び前記境界領域を除外した残りの領域に区分され、前記補償係数を決定するステップは、前記境界領域の補償係数を水平ライン単位で徐々に変わるように決定し得る。
【００１５】
前記表示装置の駆動方法は、一般補正データを用いて前記一般領域の入力データを補正するステップをさらに含み得る。
前記ノイズ補正データは、前記一般補正データより高階調であり得る。
前記ノイズ補正データ及び前記一般補正データの各々は、レッドデータ、グリーンデータ、及びブルーデータのそれぞれに対応するレッド補正データ、グリーン補正データ、及びブルー補正データを含み得る。
前記補償領域及び前記一般領域は、前記光源同期信号のハイレベル及びローレベルに基づいて決定され得る。
前記表示パネルを駆動するフレーム周波数と前記光源同期信号の光源駆動周波数とが同一の場合、前記補償領域及び前記一般領域はフレーム毎に同一に決定され、前記フレーム周波数と前記光源駆動周波数とが異なる場合、前記補償領域及び前記一般領域は隣接するフレームに対して互いに異なるように決定され得る。
【００１６】
前記表示装置の駆動方法は、前記入力データの入力タイミングと前記補正データの出力タイミングに基づいて、前記光源同期信号を遅延するステップをさらに含み得る。
【００１７】
前記表示装置の駆動方法は、前記遅延された光源同期信号に基づいて前記表示パネルに光を提供する光源を駆動するステップをさらに含み得る。  
前記光源は発光ダイオードであり、前記光源駆動信号はパルス幅変調信号であり得る。
【発明の効果】
【００１８】
本発明の表示装置によれば、光源駆動周波数の干渉ノイズにより画素充電電圧が変わる補償領域の入力データを補正することによって、補償領域に発生する輝度差を補償することができる。
【図面の簡単な説明】
【００１９】
【図１】本発明の一実施形態による表示装置のブロック図である。
【図２】図１のノイズ補償部のブロック図である。
【図３】図２に示す補償ルックアップテーブルの概念図である。
【図４】図２に示す一般ルックアップテーブルの概念図である。
【図５】比較例による表示パネルの駆動方法を説明する概念図である。
【図６】一実施形態による表示パネルの駆動方法を説明する概念図である。
【図７】本発明の一実施形態による表示装置の駆動方法を説明するフローチャートである。
【図８】本発明の一実施形態による表示装置の駆動方法を説明する概念図である。
【図９】本発明の一実施形態による表示装置の駆動方法の他の例を説明する概念図である。
【発明を実施するための形態】
【００２０】
以下、本発明を実施するための形態の具体例を、図面を参照しながら詳細に説明する。
【００２１】
図１は、本発明の一実施形態による表示装置のブロック図である。
【００２２】
図１を参照すると、表示装置は、タイミング制御部１００、表示パネル２００、パネル駆動部３００、光源部４００、及び光源駆動部５００を含む。パネル駆動部３００は、ノイズ補償部３１０、データ駆動部３３０、及びゲート駆動部３５０を含む。
【００２３】
タイミング制御部１００は、全般的な表示装置の駆動を制御する。例えば、タイミング制御部１００は、外部からパネル同期信号（ＰＳ）、光源同期信号（ＬＳ＿ＩＮ）、及び入力データ（ＤＡＴＡ＿ＩＮ）を受信する。タイミング制御部１００は、パネル同期信号（ＰＳ）に基づいて表示パネル２００を駆動するためのパネル制御信号を生成する。光源同期信号（ＬＳ＿ＩＮ）に基づいて光源部４００を駆動するための光源駆動信号（ＬＤＳ）が生成される。入力データ（ＤＡＴＡ＿ＩＮ）は、レッドデータ、グリーンデータ、及びブルーデータを含む。
【００２４】
パネル同期信号（ＰＳ）は、表示パネル２００の予め設定されたフレーム周波数に基づいてデータ駆動部３３０を制御するデータ制御信号（ＤＣＳ）、及びゲート駆動部３５０を制御するゲート制御信号（ＧＣＳ）を含む。データ制御信号（ＤＣＳ）は、垂直同期信号、水平同期信号、データイネーブル信号、ロード信号、ドットクロック信号などを含む。ゲート制御信号（ＧＣＳ）は、垂直開始信号、ゲートクロック信号、ゲートイネーブル信号などを含む。
【００２５】
表示パネル２００は、複数のゲートライン（ＧＬ）、複数のデータライン（ＤＬ）、及び複数の画素Ｐを含む。ゲートライン（ＧＬ）は、第１方向（Ｄ１）に延長され、第１方向（Ｄ１）と交差する第２方向（Ｄ２）に配列される。データライン（ＤＬ）は、第２方向（Ｄ２）に延長され、第１方向（Ｄ１）に配列される。画素Ｐは、マトリックス形態に配列され、画素Ｐの各々は、ゲートライン（ＧＬ）とデータライン（ＤＬ）とに連結されたスイッチング素子ＴＲ、及びスイッチング素子ＴＲに電気的に連結された液晶キャパシタＣＬＣとストレージキャパシタＣＳＴとを含む。
【００２６】
ノイズ補償部３１０は、光源同期信号（ＬＳ＿ＩＮ）の干渉ノイズによる輝度差を補償するために、入力データ（ＤＡＴＡ＿ＩＮ）を補正するための補正データ（ＤＡＴＡ＿ＯＵＴ）を出力する。
【００２７】
具体的に、ノイズ補償部３１０は、光源同期信号（ＬＳ＿ＩＮ）に基づいて光源部４００のターンオン期間とターンオフ期間とを検出する。ターンオン期間及びターンオフ期間に基づいて、光源同期信号（ＬＳ＿ＩＮ）の干渉ノイズを補償するために入力データ（ＤＡＴＡ＿ＩＮ）の補正が必要な補償期間を決定する。また、補償期間に対応する少なくとも１つの水平ライン（画素行）を含む表示パネル２００の表示領域を決定する。ノイズ補償部３１０は、補償期間に対応する少なくとも１つの水平ラインに対する入力データ（ＤＡＴＡ＿ＩＮ）をノイズ補正データに基づいて補正し、補償領域に対する補正データ（ＤＡＴＡ＿ＯＵＴ）を出力する。補償が必要でない一般期間に対応する少なくとも１つの水平ラインに対する入力データ（ＤＡＴＡ＿ＩＮ）を一般補正データに基づいて補正し、一般領域に対する補正データ（ＤＡＴＡ＿ＯＵＴ）を出力する。
【００２８】
また、ノイズ補償部３１０は、光源同期信号（ＬＳ＿ＩＮ）を上述のデータ補正のために使われた補償期間だけ遅延し、遅延させた光源同期信号（ＬＳ＿ＯＵＴ）を出力する。これによって、光源部４００は、補正データ（ＤＡＴＡ＿ＯＵＴ）に基づいて駆動される表示パネル２００と同期する。
【００２９】
データ駆動部３３０は、データライン（ＤＬ）の一端部に連結される。データ駆動部３３０は、ノイズ補償部３１０から提供される補正データ（ＤＡＴＡ＿ＯＵＴ）をデータ電圧に変換し、タイミング制御部１００から提供されるデータ制御信号（ＤＣＳ）に基づいて同データ電圧をデータライン（ＤＬ）に提供する。
【００３０】
ゲート駆動部３５０は、ゲートライン（ＧＬ）の一端部に連結される。ゲート駆動部３５０は、タイミング制御部１００から提供されるゲート制御信号（ＧＣＳ）及び電圧生成部（図示せず）から提供されるゲートオン／オフ電圧（図示せず）を用いて複数のゲート信号を生成し、同ゲート信号をゲートライン（ＧＬ）に順次に提供する。
【００３１】
光源部４００は、表示パネル２００に光を提供する。光源部４００は、直下型またはエッジ型を有する。直下型の光源部は、光を発生する少なくとも１つの光源を含み、光源は表示パネル２００の背面に配置される。エッジ型光源部は、光を表示パネル２００側に出射する導光板と、導光板のエッジに配置された少なくとも１つの光源を含む。また、光源部は、ローカルディミング駆動のために独立的に発光する少なくとも１つの発光ブロックを含む。例えば、光源は発光ダイオードである。
【００３２】
光源駆動部５００は、光源同期信号（ＬＳ＿ＯＵＴ）に基づいて光源部４００を駆動するための光源駆動信号（ＬＤＳ）を生成して光源部４００に提供する。光源部４００が複数の発光ダイオードを含む場合、光源駆動信号（ＬＤＳ）はパルス幅変調（ＰＷＭ）信号である。
【００３３】
図２は、図１のノイズ補償部のブロック図である。図３及び図４は、それぞれ図２に示す補償ルックアップテーブル及び一般ルックアップテーブルの概念図である。
【００３４】
図１及び図２を参照すると、ノイズ補償部３１０は、補償領域決定部３１１、補償係数決定部３１２、補償ルックアップテーブル（補償ＬＵＴ：Ｌｏｏｋ  Ｕｐ  Ｔａｂｌｅ）３１３、一般ルックアップテーブル（一般ＬＵＴ）３１４、補正データ算出部３１５、及び遅延補償部３１６を備える。
【００３５】
補償領域決定部３１１は、光源同期信号（ＬＳ＿ＩＮ）を受信し、光源同期信号（ＬＳ＿ＩＮ）に基づいて光源部４００のターンオン期間とターンオフ期間とを検出する。ターンオン期間及びターンオフ期間に基づいて干渉ノイズの補償が必要な補償期間、及び補償が必要でない一般期間を決定する。補償領域決定部３１１は、フレーム毎に表示パネル２００の表示領域を、補償期間に対応する少なくとも１つの水平ライン（画素行）を含む補償領域と、一般期間に対応する少なくとも１つの水平ラインを含む一般領域とに区分する。
【００３６】
補償係数決定部３１２は、予め設定された複数の補償係数を格納し、補償領域の水平ラインに対応する補償係数を決定する。
【００３７】
例えば、補償係数決定部３１２は、一般領域に対応する入力データ（ＤＡＴＡ＿ＩＮ）に対しては補償係数を‘０’に決定する。補償係数が‘０’であれば、干渉ノイズ補償をしない場合である。補償係数決定部３１２は、補償領域に対応する入力データ（ＤＡＴＡ＿ＩＮ）に対しては補償係数を０．１から１の範囲に決定する。
【００３８】
補償領域は、補償領域と一般領域との境界である境界領域と、境界領域を除外した残りの領域とに区分される。境界領域に対応する入力データ（ＤＡＴＡ＿ＩＮ）に対しては、徐々に変わる補償係数に決定する。これによって、境界領域で観察される輝度差を減少又は除去することができる。残りの領域に対応する入力データ（ＤＡＴＡ＿ＩＮ）に対しては最大補償係数である‘１’に決定する。
【００３９】
図３を参照すると、補償ルックアップテーブル３１３は、干渉ノイズによる表示不良、即ちウォーターフォール現象の輝度差を補償するための複数のノイズ補正データを格納する。具体的に、補償ルックアップテーブル３１３は、入力データの階調に対応するノイズ補正データを格納する。補償ルックアップテーブル３１３は、レッドデータ、グリーンデータ、及びブルーデータの各々に対応するレッド、グリーン、及びブルーノイズ補正データを格納する。図示しないが、他の実施形態として、補償ルックアップテーブル３１３は、全体階調のうちのサンプルされた複数のサンプル階調に対応する複数のノイズ補正データのみを格納し、サンプルされていない残りの階調に対応するノイズ補正データは補間方式により算出する。補償ルックアップテーブル３１３のノイズ補正データは、一般ルックアップテーブル３１４の一般補正データより高階調である。
【００４０】
図４を参照すると、一般ルックアップテーブル３１４は、色温度に従うフルホワイト補償のための複数の一般補正データを格納する。具体的に、一般ルックアップテーブル３１４は、入力データの階調に対応して一般補正データを格納する。一般ルックアップテーブル３１４は、レッドデータ、グリーンデータ、及びブルーデータの各々に対応するレッド、グリーン、及びブルー一般補正データを格納する。図示しないが、他の実施形態として、一般ルックアップテーブル３１４は、全体階調のうちのサンプルされた複数のサンプル階調に対応する複数の一般補正データのみを格納し、サンプルされていない残りの階調に対応する一般補正データは補間方式により算出する。
【００４１】
補正データ算出部３１５は、入力データ（ＤＡＴＡ＿ＩＮ）の位置に従って決定された補償係数と、入力データ（ＤＡＴＡ＿ＩＮ）の階調に従って決定されたノイズ補正データを用いて最終的にノイズ補正データ（ＤＡＴＡ＿ＯＵＴ）を算出する。
補正データ算出部３１５は、次の数式１によりノイズ補正データ（ＤＡＴＡ＿ＯＵＴ）を算出する。
【００４２】
【数１】
0006723730.tif 000002
【００４３】
数式１で、Ｒｉｎｐｕｔ、Ｇｉｎｐｕｔ、及びＢｉｎｐｕｔは入力データ（ＤＡＴＡ＿ＩＮ）であり、ＶＢは入力データ（ＤＡＴＡ＿ＩＮ）の位置に対応する補償係数ＶＢであり、Ｒｃｏｍｐｅｎｓａｔｅ、Ｇｃｏｍｐｅｎｓａｔｅ、及びＢｃｏｍｐｅｎｓａｔｅは補償ルックアップテーブル３１３で獲得したノイズ補償データである。
【００４４】
遅延補償部３１６は、受信された入力データ（ＤＡＴＡ＿ＩＮ）と出力された補正データ（ＤＡＴＡ＿ＯＵＴ）との間の時間差に基づいて、データ補償のために使われた補償時間を算出する。遅延補償部３１６は、光源同期信号（ＬＳ＿ＩＮ）を補償時間だけ遅延し、遅延補償された光源同期信号（ＬＳ＿ＯＵＴ）を出力する。遅延補償部３１６は、光源同期信号（ＬＳ＿ＯＵＴ）を光源駆動部５００に提供する。これによって、光源部４００と表示パネル２００の駆動が同期する。
【００４５】
図５は、比較例による表示パネルの駆動方法を説明する概念図である。図６は、一実施形態による表示パネルの駆動方法を説明する概念図である。
【００４６】
図５を参照すると、比較例によれば、表示パネルに印加されるデータ電圧（ＤＡＴＡ＿Ｖ）はフレーム周波数に基づき、光源部に印加される光源駆動信号は光源駆動周波数に基づく。光源駆動信号（ＬＤＳ）は、光源同期信号（ＬＳ＿ＩＮ）に同期する。
【００４７】
データ電圧（ＤＡＴＡ＿Ｖ）は、表示パネル２００Ａに印加される。
【００４８】
光源駆動信号（ＬＤＳ）は、表示パネル２００Ａに光を提供する光源部に印加される。
【００４９】
図５に示すように、表示パネル２００Ａに表示される映像は、光源駆動信号（ＬＤＳ）の干渉ノイズにより、光源駆動信号（ＬＤＳ）がローレベルであるターンオフ期間（ＯＦＦ）とハイレベルであるターンオン期間（ＯＮ）とでウォーターフォール現象による輝度差が発生する。即ち、画素に充電された正極性（＋）の画素電圧（ＰＩＸＥＬ＿Ｖ）は、光源駆動信号（ＬＤＳ）の干渉ノイズによりターンオン期間（ＯＮ）の間、共通電圧レベルＶＣＯＭ側に移動し、これにより輝度が減少する。
【００５０】
ノーマリーブラックモードで駆動される表示パネル２００Ａの場合、光源駆動信号（ＬＤＳ）のターンオン期間（ＯＮ）に対応する補償領域（Ａ１）は光源駆動信号（ＬＤＳ）のターンオフ期間（ＯＦＦ）に対応する一般領域（Ａ２）より低輝度の映像が表示される。
【００５１】
このように、光源駆動信号（ＬＤＳ）の干渉ノイズにより表示パネル２００Ａに充電された画素電圧が減少または増加してウォーターフォール現象のような輝度差を発生する。
【００５２】
図２及び図６を参照すると、一実施形態によれば、表示パネルに印加されるデータ電圧（ＤＡＴＡ＿Ｖ）はフレーム周波数に基づき、光源部に印加される光源駆動信号は光源駆動周波数に基づく。光源駆動信号（ＬＤＳ）は、光源同期信号（ＬＳ＿ＩＮ）に同期する。
【００５３】
データ電圧（ＤＡＴＡ＿Ｖ）は、表示パネル２００に印加される。
【００５４】
光源駆動信号（ＬＤＳ）は、表示パネル２００に光を提供する光源部に印加される。
【００５５】
補償領域決定部３１１は光源同期信号（ＬＳ＿ＩＮ）を受信し、光源同期信号（ＬＳ＿ＩＮ）に基づいて光源部４００のターンオン期間（ＯＮ）とターンオフ期間（ＯＦＦ）とを検出する。ターンオン期間（ＯＮ）及びターンオフ期間（ＯＦＦ）に基づいて干渉ノイズによる補償が必要な補償期間及び補償が必要でない一般期間を決定する。
【００５６】
例えば、図６に示すように、補償領域決定部３１１は、ターンオン区間（ＯＮ）を補償期間に決定し、ターンオフ期間（ＯＦＦ）を一般期間に決定する。補償係数決定部３１２は、ターンオン期間（ＯＮ）に対応する補償領域（Ａ１）の入力データとターンオフ期間（ＯＦＦ）に対応する一般領域（Ａ２）の入力データの各々に対する補償係数を決定する。
【００５７】
補償領域（Ａ１）は、補償領域（Ａ１）と一般領域（Ａ２）との境界である境界領域（ＢＡ）と、境界領域（ＢＡ）を除外した残りの領域（ＲＡ）とに区分される。
【００５８】
境界領域に対応する入力データ（ＤＡＴＡ＿ＩＮ）に対しては、徐々に変わる補償係数に決定する。これによって、境界領域で観察される輝度差を減少又は除去することができる。残りの領域に対応する入力データ（ＤＡＴＡ＿ＩＮ）に対しては最大補償係数である‘１’に決定する。補償係数が‘１’であれば、補償ルックアップテーブル３１３のノイズ補償データがそのまま適用される。
【００５９】
一方、一般領域（Ａ２）の入力データに対しては補償係数が‘０’に決定される。補償係数が‘０’であれば、補償ルックアップテーブル３１３を適用せずに一般ルックアップテーブル３１４を適用する。
【００６０】
これによって、補正データ算出部３１５は、補償領域（Ａ１）の入力データを補償ルックアップテーブル３１３のノイズ補正データに基づく補正データとして算出し、一般領域（Ａ２）の入力データを一般ルックアップテーブル３１４の一般補正データに基づく補正データとして算出する。
【００６１】
本実施形態で、ノイズ補正データは、一般補正データの階調より高階調を有する。但し、これに限定されず、表示パネル及び光源部の駆動特性に従ってノイズ補正データは一般補正データの階調より低階調を有し得る。
【００６２】
図６に示すように、補償領域（Ａ１）には相対的に高階調で補償されたデータ電圧が印加される。光源駆動信号（ＬＤＳ）の干渉ノイズによりターンオン期間（ＯＮ）に画素電圧（ＰＩＸＥＬ＿Ｖ）が減少しても高階調に補償されたデータ電圧により補償領域（Ａ１）は目標輝度の映像を表示する。
【００６３】
したがって、光源駆動信号の干渉ノイズにより表示パネル２００に充電された画素電圧が減少または増加してウォーターフォール現象のような輝度差を減少又は除去することができる。
【００６４】
図７は、本発明の一実施形態による表示装置の駆動方法を説明するフローチャートである。
【００６５】
図２及び図７を参照すると、ノイズ補償部３１０は、入力データ（ＤＡＴＡ＿ＩＮ）及び光源同期信号（ＬＳ＿ＩＮ）を受信する（ステップＳ１１０）。入力データ（ＤＡＴＡ＿ＩＮ）は、フレーム周波数に基づく同期信号、例えば垂直同期信号及び水平同期信号に同期して受信される。光源同期信号（ＬＳ＿ＩＮ）は光源駆動周波数を有する。
【００６６】
補償領域決定部３１１は、光源同期信号（ＬＳ＿ＩＮ）に基づいて光源部４００のターンオン期間及びターンオフ期間を検出する。ターンオン期間及びターンオフ期間に基づいて、干渉ノイズによる補償が必要な補償期間及び補償が必要でない一般期間を決定する。
【００６７】
補償領域決定部３１１は、補償期間に対応する表示パネル２００の少なくとも１つの水平ラインを含む補償領域と、一般期間に対応する表示パネル２００の少なくとも１つの水平ラインを含む一般領域とを決定する（ステップＳ１２０）。
【００６８】
補償係数決定部３１２は、補償領域の入力データ（ＤＡＴＡ＿ＩＮ）に対応する補償係数と、一般領域の入力データ（ＤＡＴＡ＿ＩＮ）に対応する補償係数とを決定する。
【００６９】
補償領域は、補償領域と一般領域との境界である境界領域ＢＡと、境界領域を除外した残りの領域ＲＡとに区分される。境界領域に対応する入力データ（ＤＡＴＡ＿ＩＮ）に対しては、水平ライン単位で０．１から０．９の範囲内で徐々に変わる補償係数に決定する。これによって、境界領域で観察される輝度差を減少又は除去することができる。残りの領域に対応する入力データ（ＤＡＴＡ＿ＩＮ）に対しては最大補償係数である‘１’に決定する（ステップＳ１３０）。
【００７０】
補正データ算出部３１５は、補償領域（Ａ１）に位置する画素の入力データに対応する補償ルックアップテーブル３１３から得られたノイズ補正データに補償係数を適用して補償領域の補正データ（ＤＡＴＡ＿ＯＵＴ）を算出する（ステップＳ１４０）。
【００７１】
補正データ算出部３１５は、一般領域に位置する画素の入力データに対応する一般ルックアップテーブル３１４から得られた一般補正データに基づいて一般領域の補正データ（ＤＡＴＡ＿ＯＵＴ）を算出する（ステップＳ１５０）。
【００７２】
遅延補償部３１６は、入力データ（ＤＡＴＡ＿ＩＮ）の入力タイミングと補正データ（ＤＡＴＡ＿ＯＵＴ）の出力タイミングに基づいて、データ補償のために使われた補償時間を算出する。遅延補償部３１６は、光源同期信号（ＬＳ＿ＩＮ）を補償時間だけ遅延させ、遅延された光源同期信号（ＬＳ＿ＯＵＴ）を出力する（ステップＳ１６０）。
【００７３】
遅延補償部３１６は、光源同期信号（ＬＳ＿ＯＵＴ）を光源駆動部５００に提供する。これによって、光源部４００と表示パネル２００の駆動が同期する。
【００７４】
図８は、本発明の一実施形態による表示装置の駆動方法を説明する概念図である。
【００７５】
図２及び図８を参照すると、ノイズ補償部３１０は、フレーム周波数を有する垂直同期信号（ＶＳＹＮＣ）に基づいて入力データ（ＤＡＴＡ＿ＩＮ）を受信し、光源駆動周波数を有する光源同期信号（ＬＳ＿ＩＮ）を受信する。本実施形態によれば、光源駆動周波数はフレーム周波数の１倍逓倍される。即ち、光源同期信号（ＬＳ＿ＩＮ）の周期（ＬＰ）はフレーム周期と同一である。
【００７６】
具体的に、第Ｎフレーム（Ｎ＿ＦＲＡＭＥ）の間、ノイズ補償部３１０は光源同期信号（ＬＳ＿ＩＮ）を受信する。
【００７７】
補償領域決定部３１１は、光源同期信号（ＬＳ＿ＩＮ）に基づいて光源部のターンオン期間（ＯＮ）及びターンオフ期間（ＯＦＦ）を検出する。ターンオン期間（ＯＮ）及びターンオフ期間（ＯＦＦ）に基づいて、干渉ノイズによる補償が必要な補償期間及び補償が必要でない一般期間を決定する。例えば、補償区間がターンオフ期間（ＯＦＦ）であり、一般区間が上記ターン−オン区間（ＯＮ）である。
【００７８】
補償領域決定部３１１は、補償期間に対応する表示パネルの補償領域（Ａ１）と、一般期間に対応する表示パネルの一般領域（Ａ２）とを決定する。
補償領域決定部３１１は、補償領域の入力データに対応する補償係数と、一般領域の入力データに対応する補償係数とを決定する。補償領域（Ａ１）と一般領域（Ａ２）との間の境界領域に対しては、水平ライン単位で徐々に変わる補償係数が決定される。
【００７９】
補正データ算出部３１５は、補償領域（Ａ１）に対しては当該領域に位置する画素の入力データに対応する補償ルックアップテーブル３１３から得られたノイズ補正データに補償係数を適用して補正データを算出し、一般領域（Ａ２）に対しては当該領域に位置する画素の入力データに対応する一般ルックアップテーブル３１４から得られた一般補正データに基づいて補正データを算出する。
【００８０】
表示パネルは、算出された第Ｎフレーム（Ｎ＿ＦＲＡＭＥ）の補正データに基づいて第Ｎフレーム映像（Ｎ＿ＦＩ）を表示する。これによって、光源駆動周波数の干渉ノイズによるウォーターフォール現象のような輝度差を減少又は除去することができる。
【００８１】
続いて、第（Ｎ＋１）フレーム（Ｎ＋１＿ＦＲＡＭＥ）の間、ノイズ補償部３１０は光源同期信号（ＬＳ＿ＩＮ）を受信する。
【００８２】
フレーム周波数と光源駆動周波数とが同一の場合、光源駆動周波数の干渉ノイズにより輝度差が発生する補償領域（Ａ１）はフレーム毎に固定される。
【００８３】
したがって、補償領域決定部３１１は、第Ｎフレーム（Ｎ＿ＦＲＡＭＥ）と同一の補償領域（Ａ１）と一般領域（Ａ２）とを決定する。
【００８４】
補償係数決定部３１２は、補償領域の入力データに対応する補償係数と、一般領域の入力データに対応する補償係数を決定する。
【００８５】
補正データ算出部３１５は、補償領域（Ａ１）に対しては当該領域に位置する画素の入力データに対応する補償ルックアップテーブル３１３から得られたノイズ補正データに補償係数を適用して補正データを算出し、一般領域（Ａ２）に対しては当該領域に位置する画素の入力データに対応する一般ルックアップテーブル３１４から得られた一般補正データに基づいて補正データを算出する。
【００８６】
表示パネルは、算出された第（Ｎ＋１）フレーム（Ｎ＋１＿ＦＲＡＭＥ）の補正データに基づいて第（Ｎ＋１）フレーム映像（Ｎ＋１＿ＦＩ）を表示する。これによって、光源駆動周波数の干渉ノイズによるウォーターフォール現象のような輝度差を減少又は除去することができる。
【００８７】
このように、光源駆動周波数の干渉ノイズにより画素充電電圧が変わる補償領域の入力データを補正することによって、輝度差を減少又は除去することができる。
【００８８】
図９は、本発明の一実施形態による表示装置の駆動方法の他の例を説明する概念図である。
【００８９】
図２及び図９を参照すると、ノイズ補償部３１０は、フレーム周波数を有する垂直同期信号（ＶＳＹＮＣ）に基づいて入力データ（ＤＡＴＡ＿ＩＮ）を受信し、光源駆動周波数を有する光源同期信号（ＬＳ＿ＩＮ）を受信する。本実施形態によれば、光源駆動周波数（ＬＤＳ）は、フレーム周波数の約１．２５倍逓倍される。即ち、フレーム周期は光源同期信号（ＬＳ＿ＩＮ）の周期（ＬＰ）の約１．２５倍である。
【００９０】
具体的に、第Ｎフレーム（Ｎ＿ＦＲＡＭＥ）の間、ノイズ補償部３１０は、光源同期信号（ＬＳ＿ＩＮ）を受信する。
【００９１】
補償領域決定部３１１は、光源同期信号（ＬＳ＿ＩＮ）に基づいて光源部のターンオン期間（ＯＮ）及びターンオフ期間（ＯＦＦ）を検出する。ターンオン期間（ＯＮ）及びターンオフ期間（ＯＦＦ）に基づいて、干渉ノイズによる補償が必要な補償期間及び補償が必要でない一般期間を決定する。例えば、補償期間がターンオフ期間（ＯＦＦ）であり、一般期間がターンオン期間（ＯＮ）である。
【００９２】
補償領域決定部３１１は、補償期間に対応する表示パネルの補償領域（Ａ１）と、一般期間に対応する表示パネルの一般領域（Ａ２）とを決定する。
本実施形態によれば、フレーム周波数と光源駆動周波数とが互いに異なることによって、表示パネルは、補償領域（Ａ１）と、第１一般領域（Ａ２１）及び第２一般領域（Ａ２２）とに区分される。
【００９３】
補償係数決定部３１２は、補償領域（Ａ１）の入力データに対応する補償係数と、第１及び第２一般領域（Ａ２１、Ａ２２）の入力データに対応する補償係数とを決定する。補償領域（Ａ１）と第１及び第２一般領域（Ａ２１、Ａ２２）の各々との間の境界領域に対しては、水平ライン単位で徐々に変わる補償係数が決定される。
【００９４】
補正データ算出部３１５は、補償領域（Ａ１）に対しては当該領域に位置する画素の入力データに対応する補償ルックアップテーブル３１３から得られたノイズ補正データに補償係数を適用して補正データを算出し、第１及び第２一般領域（Ａ２１、Ａ２２）に対してはそれぞれの当該領域に位置する画素の入力データに対応する一般ルックアップテーブル３１４から得られた一般補正データに基づいて補正データを算出する。
【００９５】
表示パネルは、算出された第Ｎフレーム（Ｎ＿ＦＲＡＭＥ）の補正データに基づいて第Ｎフレーム映像（Ｎ＿ＦＩ）を表示する。これによって、光源駆動周波数の干渉ノイズによるウォーターフォール現象のような輝度差を減少又は除去することができる。
【００９６】
続いて、第（Ｎ＋１）フレーム（Ｎ＋１＿ＦＲＡＭＥ）の間、ノイズ補償部３１０は光源同期信号（ＬＳ＿ＩＮ）を受信する。
【００９７】
フレーム周波数と光源駆動周波数とが異なる場合、光源駆動周波数の干渉ノイズにより輝度差が発生する補償領域はフレーム毎に異なる。
【００９８】
補償領域決定部３１１は、光源同期信号（ＬＳ＿ＩＮ）に基づいて光源部のターンオン期間（ＯＮ）及びターンオフ期間（ＯＦＦ）を検出し、ターンオン期間（ＯＮ）及びターンオフ期間（ＯＦＦ）に基づいて補償領域及び一般領域を決定する。
【００９９】
本実施形態によれば、フレーム周波数と光源駆動周波数とが異なることによって、表示パネルは、補償領域（Ａ１）、第１一般領域（Ａ２１）、及び第２一般領域（Ａ２２）に区分される。補償領域（Ａ１）、第１一般領域（Ａ２１）、及び第２一般領域（Ａ２２）は、第Ｎフレーム（Ｎ＿ＦＲＡＭＥ）のそれぞれと異なるように決定される。
【０１００】
補償係数決定部３１２は、補償領域（Ａ１）の入力データに対応する補償係数と、第１及び第２一般領域（Ａ２１、Ａ２２）の入力データに対応する補償係数とを決定する。補償領域（Ａ１）と第１及び第２一般領域（Ａ２１、Ａ２２）の各々との間の境界領域に対しては、水平ライン単位で徐々に変わる補償係数が決定される。
【０１０１】
補正データ算出部３１５は、補償領域（Ａ１）に対しては当該領域に位置する画素の入力データに対応する補償ルックアップテーブル３１３から得られたノイズ補正データに補償係数を適用して補正データを算出し、第１及び第２一般領域（Ａ２１、Ａ２２）に対してはそれぞれの当該領域に位置する画素の入力データに対応する一般ルックアップテーブル３１４から得られた一般補正データに基づいて補正データを算出する。
【０１０２】
表示パネルは、算出された第（Ｎ＋１）フレーム（Ｎ＋１＿ＦＲＡＭＥ）の補正データに基づいて第（Ｎ＋１）フレーム映像（Ｎ＋１＿ＦＩ）を表示する。これによって、光源駆動周波数の干渉ノイズによるウォーターフォール現象のような輝度差を減少又は除去することができる。
【０１０３】
上述のように、本発明の表示装置によれば、光源駆動周波数の干渉ノイズにより画素充電電圧が変わる補償領域の入力データを補正することによって、補償領域に発生する輝度差を補償することができる。
【０１０４】
以上、本発明の実施形態について図面を参照しながら詳細に説明したが、本発明は、上述の実施形態に限定されるものではなく、本発明の技術範囲から逸脱しない範囲内で多様に変更実施することが可能である。
【符号の説明】
【０１０５】
１００    タイミング制御部
２００、２００Ａ    表示パネル
３００    パネル駆動部
３１０    ノイズ補償部
３１１    補償領域決定部
３１２    補償係数決定部
３１３    補償ルックアップテーブル（補償ＬＵＴ）
３１４    一般ルックアップテーブル（一般ＬＵＴ）
３１５    補正データ算出部
３１６    遅延補償部
３３０    データ駆動部
３５０    ゲート駆動部
４００    光源部
５００    光源駆動部
【図１】
0006723730.tif 000003
【図２】
0006723730.tif 000004
【図３】
0006723730.tif 000005
【図４】
0006723730.tif 000006
【図５】
0006723730.tif 000007
【図６】
0006723730.tif 000008
【図７】
0006723730.tif 000009
【図８】
0006723730.tif 000010
【図９】
0006723730.tif 000011